Podtech/llm-jp-corpus-v4-ja_patent huggingface dataset:
(57)【要約】      （修正有）【課題】鳥手羽元肉を手に持って食べやすくする目的で骨に穴を開けても、骨髄あるいは骨髄液が骨の穴から垂れ出ることがない鳥手羽元焼鳥串を提供する。【解決手段】鳥手羽元の中心の骨の片方あるいは両端に穴を開け、ピックル液あるいは調味液にて漬込み、その後スチームあるいはボイルで加熱を充分に行い、その後串を打ち焼き上げることで、骨髄あるいは骨髄液の赤い血液色の影響を無くす。【選択図】図１
0003207353.tif 000002
【実用新案登録請求の範囲】
【請求項１】
串、棒、箸を刺しあるいは通して持ちやすくする目的で、中心の骨の先端の片方あるいは両端に穴を開け、前もって塩漬をした後にボイルあるいはスチームすることによって、骨の中の骨髄あるいは骨髄液に加熱を充分行う事によって、赤い血液色の影響を無くすという特徴を持った鳥手羽元焼鳥串及びその製造法。
【考案の詳細な説明】
【技術分野】
【０００１】
本考案は、食肉加工品特に食鳥加工品に関するものである。
【背景技術】
【０００２】
鳥手羽元肉は、中心の骨のために太さがあり、焼鳥に利用する為には中心の骨まで火を通すことは困難を来すので、そのままから揚げあるいは煮込みで調理されてきた。
【先行技術文献】
【特許文献】
【０００３】
特開２０１６−２６４７８
【考案の開示】
【考案が解決しようとする課題】
【０００４】
本発明は、鳥手羽元肉を焼鳥に利用しようとすると、骨の中心まで加熱を充分にすると外側の肉が焦げてしまい、外側を焦げないように焼くと中まで火が通りにくいという課題があった。
【０００５】
鳥手羽元肉に串をさす為に、中心の骨の先端あるいは両端に穴を開けると、骨髄あるいは骨髄液の赤い血液色の液が垂れ出る等の影響が出て、焼鳥串としては重大な欠点であり、これまで利用されてこなかった。
【０００６】
鳥手羽元肉を手に持って食べやすくする目的で骨に穴を開けると、骨髄あるいは骨髄液が骨の穴から垂れ出る為に、焼鳥には利用されにくいという課題があった。
【課題を解決するための手段】
【０００７】
【表１】
0003207353.tif 000003
【０００８】
予め手羽元肉の骨の先端あるいは両端に穴を開け、表１に示すピックル液あるいは調味液にて塩漬を行い、一定時間の経過の後にボイルあるいはスチームで加熱し、その後串を打ち焼き上げることで、骨髄あるいは骨髄液の赤い血の色は消失するので、その上で焼鳥とすることで課題を解決する。
【考案の効果】
【０００９】
鳥手羽元の中心の骨の骨髄液の欠点を取り除く事で、手羽元焼鳥串の製造法を提供する。
【考案を実施するための最良の形態】
【００１０】
１ｋｇの鳥手羽元肉の中心の骨の先端あるいは両端に穴を開け、表１の配合表の割合のピックル液を作り、鳥手羽元肉を入れて約３０分間タンブリングを行い、１時間〜３日間５℃前後の冷蔵庫で塩漬した後、金網に乗せて３０〜６０分スチームをかけて、取り出した後串を打って焼鳥タレをかけて焼き上げることで、鳥手羽元焼鳥串を提供する製造法。
【図面の簡単な説明】
【００１１】
【図１】鳥手羽元焼鳥串の断面図
【図２】鳥手羽元内の骨の状態図
【図３】鳥手羽元の骨及び串の状態図
【符号の説明】
【００１２】
１    鳥手羽元肉部
２    鳥手羽元肉の骨
３    串
４    骨髄
５    骨髄液
【図１】
0003207353.tif 000004
【図２】
0003207353.tif 000005
【図３】
0003207353.tif 000006
【手続補正書】
【提出日】平成28年9月6日(2016.9.6)
【手続補正１】
【補正対象書類名】実用新案登録請求の範囲
【補正対象項目名】全文
【補正方法】変更
【補正の内容】
【実用新案登録請求の範囲】
【請求項１】
串、棒、又は箸を刺しあるいは通して持ちやすくする目的で、中心の骨の先端の片方あるいは両端に穴を開け、前もって塩漬をした後にボイルあるいはスチームすることによって、骨の中の骨髄あるいは骨髄液に加熱を充分行う事によって、赤い血液色の影響を無くすという特徴を持った鳥手羽元焼鳥串。
(57)【要約】      （修正有）【課題】コーヒーやジュース等の飲料入りカップを容易に持ち運ぶことができる持ち運び具を提供する。【解決手段】環状でカップ１０の上部の周囲面に当接するカップ保持部２と、カップ保持部２の相対する中央位置のそれぞれから上方に延び出して上部で連続する手掛け部４とを備える。【選択図】図１
0003207379.tif 000002
【実用新案登録請求の範囲】
【請求項１】
環状でカップの上部の周囲面に当接するカップ保持部と、
前記カップ保持部の相対する中央位置のそれぞれから上方に延び出して上部で連続する手掛け部と、
を備えることを特徴とするカップの持ち運び具。
【請求項２】
方形でその一方端部を開口とするプラスチック製の袋体の両側縁部のそれぞれが、前記開口より離れる位置から他方端部に至るまで切除され、
前記一方端部をカップの上部の周囲面に当接する環状のカップ保持部とし、前記切除によって残る部分を手掛け部とすることを特徴とするカップの持ち運び具。
【考案の詳細な説明】
【技術分野】
【０００１】  この考案は、コーヒーやジュース等の飲料が充填されるカップの持ち運び具に関する。【０００２】  コンビニエンスストアやハンバーガーショップでは、カップにコーヒーやジュースが充填された状態で提供される。これを持ち帰る場合、コーヒーが熱いと持ちにくく、また、カップが剛性に乏しい場合には変形するので持ちにくい問題がある。持ち運び用としてカップが嵌め込まれる形態の紙製ケースが提供されているが、嵩高いとともに、片手で持ちにくく、とくに、自転車に乗っての持ち帰りには使用できなかった。
【考案の概要】
【考案が解決しようとする課題】
【０００３】  この考案は上記の点に鑑みて行ったもので、飲料入りカップを容易に持ち運ぶことができるようにすることを目的とする。【０００４】  請求項１の考案では、環状でカップの上部の周囲面に当接するカップ保持部と、前記カップ保持部の相対する中央位置のそれぞれから上方に延び出して上部で連続する手掛け部と、を備えることを特徴とするカップの持ち運び具を提供する。【０００５】  上記構成カップの持ち運び具によれば、カップ保持部がカップの上部の周囲面を保持する状態において、手掛け部に手が掛けられることでカップを吊り下げ状態として持ち運ぶことができる。自転車ではハンドルに手掛け部が係止されることでカップが持ち運べ、また、手掛け部が係止部に係止されることで適宜の位置にカップが吊り下げ配置できる。【０００６】  請求項２の考案では、方形でその一方端部を開口とするプラスチック製の袋体の両側縁部のそれぞれが、前記開口より離れる位置から他方端部に至るまで切除され、前記一方端部をカップの上部の周囲面に当接する環状のカップ保持部とし、前記切除によって残る部分を手掛け部とすることを特徴とするカップの持ち運び具を提供する。【０００７】  上記構成のカップの持ち運び具によれば、上記した請求項１の考案と同様の作用効果が発揮され、さらに、袋体を切除することで形成されることで、カップの持ち運び具が容易に制作され、かつ、全体がプラスチックス製の連続一体であることで安定した構成を持つ。【０００８】  この考案のカップ持ち運び具はプラスチックスフィルムや紙シートやアルミ箔等の適宜の材料によって作成される。また、その形態はカップ保持部と手掛け部との基本構成を備えていれば、使用されるカップ形態に対応して適宜の形態であってよい。
【考案の効果】
【０００９】  この考案のカップの持ち運び具を使用することで、飲料入りカップの持ち運びが容易に行えるようになり、また、この考案によれば制作容易で構造の安定したカップの持ち運び具が得られる。また、この考案のカップの持ち運び具は、使用前、使用後には折り畳み状態とでき、これによりその保管、廃棄にスペースを要することがないという実用上の利点もある。
【図面の簡単な説明】
【００１０】
【図１】  この考案のカップ持ち運び具の実施形態の使用状態の斜視図
【図２】  この考案のカップ持ち運び具の実施形態の異なる使用状態の斜視図
【図３】  この考案のカップ持ち運び具の制作説明図
【図４】  この考案のカップ持ち運び具の制作説明図
【考案を実施するための形態】
【００１１】  図１はこの考案のカップの持ち運び具を示す。カップの持ち運び具１は全体が耐熱性のプラスチックフィルム製で、環状でカップ１０の上部の周囲面に当接するカップ保持部２と、カップ保持部２の相対する中央位置のそれぞれから上方に延び出して上部で熱溶着部３４により連続する手掛け部４とから構成される。カップ保持部２、手掛け部４の表面それぞれには印刷模様３６が付されている。
【００１２】  カップの持ち運び具１は、そのカップ保持部２がカップ１０の上部の周囲面を保持する状態において、手掛け部４に指１２が掛けられることで、蓋１１が付されたカップ１０が吊り下げ状態となって、持ち運びに使用される。カップの持ち運び具１は、使用前、使用後には折り畳み状態とでき、これによりその保管、廃棄にスペースを要することなく使用できる。
【００１３】  自転車の使用時には、図２に示すように、そのハンドル１４に手掛け部４が係止されることでカップ１０は持ち運ばれる。また、飲料を飲む際にカップ１０の設置場所が無い場合には、手掛け部４が適宜の係止部に係止されることでカップ１０が吊り下げ配置できる。
【００１４】  上記カップの持ち運び具１の制作工程を説明する。始めに押し出し成形によりプラスチックフィルムよりなる長尺の扁平筒体を連続形成する。次に、その扁平筒体を印刷機に通して所定の間隔位置にデザイン模様を順次印刷する。次に、そのデザイン模様が付された扁平筒体を熱溶着機を通して１セットのデザイン模様間位置を順次所定幅で熱溶着する。次に、そのデザイン模様間に熱溶着部を形成された扁平筒体を裁断機に通して熱溶着部それぞれの一方側位置で裁断し、図３に示すような長方形の扁平袋体３０を得る。この扁平袋体３０は一方端部を開口３２とし、他方端部は熱溶着部３４により閉じられており、その表面の２か所には印刷模様３６のそれぞれが形成されている。次に、得られた複数枚の扁平袋体３０を同方向として重ね、打ち抜き機によって点線Ｘそれぞれで示す位置で打ち抜き、これにより両側縁部のそれぞれを開口３２より離れる位置から他方端部に至るまで切除して、図４に示す扁平片４０を得る。この扁平体４０がその重ね状態が開かれることで、図１に示すカップの持ち運び具１となる。
【００１５】  上記のように制作することで、カップの持ち運び具１はプラスチックス製の扁平袋体３０を打ち抜くことで容易に得られ、また、接続部が熱溶着部３４のみとなることで全体が強固で安定した構成を備える。
【符号の説明】
【００１６】１    カップの持ち運び具
２    カップ保持部
４    手掛け部
【図１】
0003207379.tif 000003
【図２】
0003207379.tif 000004
【図３】
0003207379.tif 000005
【図４】
0003207379.tif 000006
(57)【要約】      （修正有）【課題】全身を動かすリハビリ活動において誰もが容易に使用し得る新規なリズム楽器となる発音器具および発音楽器を提供する。【解決手段】少なくとも長手方向に１つ以上の平面２を有する柱状物であって、当該平面のうち任意の１つの面に１個又は複数個の空気溜まり３を形成する穴を設けた発音器具本体１と、少なくともその片面に滑らかな表面を有する弾性体を具備し、前記本体の空気だまりを形成する穴を設けた平面上を当該弾性体を摺動させて、発音器具本体の空気溜まり内の空気の圧縮・開放を行う発音摺動体との組合せよりなる発音楽器である。【選択図】図１
0003207373.tif 000002
【実用新案登録請求の範囲】
【請求項１】
少なくとも長手方向に１つ以上の平面を有する柱状物であって、当該平面のうち任意の１つの面に１個又は複数個の空気溜まりを形成する穴を設けたことを特徴とする発音器具
【請求項２】
少なくとも長手方向に１つ以上の平面を有する柱状物であって、当該平面のうち任意の１つの面に１個又は複数個の空気溜まりを形成する穴を設けた発音器具本体と、少なくともその片面に滑らかな表面を有する弾性体を具備し、前記本体の空気だまりを形成する穴を設けた平面上を当該弾性体を摺動させることにより空気溜まり内の空気の圧縮・開放を行う発音摺動体の組合せよりなることを特徴とする発音楽器
【考案の詳細な説明】
【技術分野】
【０００１】空気溜まり内の空気を圧縮・開放させることにより破裂音を発生させる新規な発音楽器に関する。
【背景技術】
【０００２】これまで、打楽器等のように楽器自体の振動で音を発生させるリズム楽器は存在したが、空気の圧縮・開放により破裂音を発生させるようにしたリズム楽器は存在しなかった。
【考案の概要】
【考案が解決しようとする課題】
【０００３】従来、手を使用する楽器は鈴・カスタネット等多数存在したが、身体全体を動かすリズム楽器は少なかった。ここで、身体全体を使って発音させる様なリズム楽器、即ち、リハビリ活動において誰もが容易に使用し得る新規なリズム楽器が望まれていた。
【課題を解決するための手段】
【０００４】本考案は、少なくとも長手方向に１つ以上の平面を有する柱状物であって、当該平面のうち任意の１つの面に１個又は複数個の空気溜まりを形成する穴を設けた発音器具である。【０００５】加えて第２の考案は、少なくとも長手方向に１つ以上の平面を有する柱状物であって、当該平面のうち任意の１つの面に１個又は複数個の空気溜まりを形成する穴を設けた発音器具本体と、少なくともその片面に滑らかな表面を有する弾性体を具備し、前記本体の空気だまりを形成する穴を設けた平面上を当該弾性体を摺動させて、発音器具本体の空気溜まり内の空気の圧縮・開放を行う発音摺動体との組合せよりなる発音楽器である。【０００６】上記の構成にする事により、使用者自らの手の平を用いて、又は、発音摺動体を用いて、楽器本体の空気溜まり上の平面部を摺動することにより、空気溜まり内の空気の圧縮・開放を行い、破裂音を発生させる事が可能となる。
【考案の効果】
【０００７】上述したように本考案に係る発音器具及び発音楽器は、発音させるためには全身を使う事が可能となり、リハビリに適している。また、その使用においては、練習を積み重ねることにより、発音度合い（音量ｅｔｃ．）が向上し，リハビリでの使用について励みとなる。加えて構造・構成が簡単であり製造が容易であり、加えて木材においては端材を利用できるので、資源の有効活用が期待される。また目的に合わせて、楽器形状にバリエーションを持たせることが可能である。
【図面の簡単な説明】
【０００８】
【図１】  本考案に係る発音器具本体の斜視図
【図２】  発音原理（圧縮〜開放）を示す図
【考案を実施するための形態】
【０００９】以下、本考案に係る実施の形態を図面により説明する。
【実施例】
【００１０】本考案に係る楽器（器具）は、図１に示すように本体（桧材）四角柱１（Ｗ３００×Ｄ４２×Ｈ５５ｍｍ）の一平面２（Ｗ３００×Ｄ４２ｍｍ）に空洞３（直径３０ｍｍ×Ｄ３５ｍｍ×７穴：穴間隔５ｍｍ）を１個又は複数個設けたものである。その発音原理は図２に示すように摺動体４（穴の直径より大きい径、例えば径５０ｍｍの円形で表面が柔軟な物でゴムボールの空気を少し抜いた状態）を本体１に形成された平面２の上を図２に示す摺動方向に摺動させる（図２−１）ことにより、空洞内３の中の空気を圧縮（図２−２）し、次いで中の空気を開放（図２−３）することにより、破裂音を発生させるものである。【００１１】本実施例においては、四角柱使用のケースで説明したが、柱状物において一平面が有れば良く、いろいろなデザイン性を持たせることも可能である。又、実施例においては、木材を使用した例で説明したが、本体１の材料は、木材の他樹脂や金属等でも良く表面が滑るものであれば良い。更に、摺動体４に至っては手のひらの親指の付け根に広がる肉球部でも可能である。
【産業上の利用可能性】
【００１２】身体運動リハビリ用、発音楽器として楽しむ為の器具として使用できる。
【符号の説明】
【００１３】１、発音器具本体
２、柱状物平面
３、空気溜まり
４、摺動体
【図１】
0003207373.tif 000003
【図２】
0003207373.tif 000004
(57)【要約】      （修正有）【課題】自己冶ゆ力を高める転写ニガリ水を詰めた透明なボトルを提供する。【解決手段】尿２の保有する磁気情報をニガリに波動転写器で転写して転写ニガリ４を詰めた透明なボトルである。また、この透明なボトルには、水道水を浄化してアイ・ウォーター活性化水にし貴陽石セラミックスボールに漬けた稀釈水３を詰めた。【選択図】図１
0003207330.tif 000002
【実用新案登録請求の範囲】
【請求項１】
尿の保有する磁気情報を波動転写器ＬＦＣ‐“２０（株）ライフーフィルド社製でニガリに転写した転写ニガリを配合した事を特徴とする転写ニガリ水
【請求項２】
水道水を浄化して化石サンゴや二股温泉の石灰華に漬けて造る水  さらに  浄水器マグ。ソフイア（株）ＮＫＥ社製の水で磁気情報を受容できる稀釈水を造り配合した請求項Ｉの転写ニガリ水
【考案の詳細な説明】
技術分野
【技術分野】
【０００１】水
【背景技術】水の重要性で大切なのは．水の成分ではなく。水の持つている情報である
体の病気情報をインプツトした情報水は病に一番適した水です・これを飲むだけで自分が本来保有している自己冶ゆ力が高まる  水から水に転写する
海のニガリにも尿の病情報を転写できる  ニガリの成分も吸収できる
【考案の概要】
【考案が解決しようとする課題】
【０００２】手軽に自分で造れる稀釈水を施せる方法を考案する。
【課題を解决するための手段】
【０００３】−条件として  振動に共鳴できる  クラスタが小さい  ミネラルが含まれている
【考案の効果】
【０００４】水道水を浄水して塩素の無い水の中に  化石サンゴや二股温泉の石灰華  を漬けると  旨い水になり情報も受けられる  ペツトボトルの２０分一価格で造る
【０００５】−病を近ずけない技となる  アトピー肌の方でも安心できる
【図面の簡単な説明】
【０００６】
【図１】転写システム流れ  １：ニガリ。２：尿  ３：稀釈水  ４：転写ニガリ  ５：転写ニガリ水
【考案を実施するための形態】
【０００７】水の生活技  自分流の実施例で  飲んだ  つけた  塗る  様々な技法こそ自然界のエネルギ  ーと一体になる事を意味する
【産業上の利用可能性】叶えたい夢  誰もが願う１００歳の現役  ひとり社長でありたい：何を於いても「やつてみる」の一言に尽きる  ＦフランＣチャイズでの独立起業も可能
【実施例】
【０００８】水の良しも不冶の病を治す温泉の力も  水自体ではなく：それに溶けている化学物質の作用によると考えられていた  物理の目線からみると水の分子は一秒間に１０の１２乗回離合集散している水の運動にこそ水の特殊な性格がある：水の正体は小さい棒磁石にある・生体磁場と呼ばれている【０００９】転写したい尿と  ニガリの間に干渉磁場を発生させる事で尿の持つ病の情報をニガリ転写できる  転写ニガリを１ｃｃに稀釈水１０００ｃｃで飲みます・【００１０】                  転写ニガリ活用例
ライフ  フイルド測定値
サンプル名      仕    様              免疫力    認知症    便秘    アトピー
２ＢＤ６  ３４１１  ３３℃７  ３Ｅ２Ｆ
ニガリ原液    マグネシウムの含有量が    １４      １２      １３        １４
７５００ｍｇ  １００ｃｃ
尿            朝一番に採る                    ８      １１      ７        ４
稀釈水        浄水した水を化石サンゴに漬ける  １３    １５    １１      １２
転写ニガリ    ニガリに尿を転写もの            １５    １５    １５      １０
転写ニガリ水  稀釈水１０００ｃｃに            １２    １４    １５      １４
転写ニガリを１ｃｃ
飲用テスト    転写ニガリ水を２００ｃｃ        １２    １３    １２        ８
飲む  ２０分経過で採尿した
転写テスト    稀釈水２００ｃｃに尿を０．５ｃｃ  ８    １０      ８        ５
尿は体内の水  それが病の予防に偉力を発揮する  優れた伝承技法で  ほんのチョコツト１００００分の１  １万倍の稀釈でも体内の磁気情報を手軽に飲める  １リツトルに２滴味  匂い  色等  全く判別できません  その安全性に付いて不安要素はありません  誰でも  いつでも  何処でも  魔法瓶の水を飲むのと同じです  認知症患いに至る日を１日でも遅くしたい気持ちで充分：  実行する  迷はない  続ける  誇れる事です
ライフ  フイルド機器による測定値は１０が元気線の目安１２ならば病知らず人
【図１】
0003207330.tif 000003
【手続補正書】
【提出日】平成28年6月30日(2016.6.30)
【手続補正１】
【補正対象書類名】実用新案登録請求の範囲
【補正対象項目名】全文
【補正方法】変更
【補正の内容】
【実用新案登録請求の範囲】
【請求項１】
尿の保有する磁気情報をニガリに波動転写器で転写した転写ニガリを詰めた透明なボトルに貼る絵図を特長とした波動龍頭観音絵図
観音絵図は水差しを手にされた姿像を水に見せてキレイな水の結晶にする
【請求項２】
水道水を浄化して風化化石サンゴや二股温泉の石灰華に漬けた稀釈水を詰めた透明なボトルに貼る事を特長とした靖求項１の波動龍頭観音絵図
【手続補正２】
【補正対象書類名】図面
【補正対象項目名】図１
【補正方法】変更
【補正の内容】
【図１】
0003207330.tif 000004
【手続補正書】
【提出日】平成28年8月19日(2016.8.19)
【手続補正１】
【補正対象書類名】実用新案登録請求の範囲
【補正対象項目名】全文
【補正方法】変更
【補正の内容】
【実用新案登録請求の範囲】
【請求項１】
尿の保有する磁気情報をニガリに波動転写器で転写して転写ニガリを詰めた龍頭観音絵図貼を特長とした透明なボトル
【請求項２】
水道水を浄化してアイ・ウォーター活性化水にし貴陽石セラミックスボールに漬けた稀釈水を詰めた事を特長とした靖求項１の龍頭観音絵図貼の透明なボトル
(57)【要約】      （修正有）【課題】畳、床、壁を傷つけず、狭い入口からの搬入・搬出が可能で、収納力のあるベッドを提供する。【解決手段】発泡スチロール箱を並べて配置した。発泡スチロール箱は床や畳、壁を傷付けることなく設置でき、収納も確保できる。また、リサイクル可能な素材である。【選択図】図５
0003207325.tif 000002
【実用新案登録請求の範囲】
【請求項１】
ベッドを発泡スチロール箱の組み合わせで構成する。組み合わせによりさまざまなサイズのベッドの構成を可能とするため、大型のベッドでも畳や床、壁を傷つけず、狭い入口からの搬入・搬出が可能となる。ベッドを構成する発泡スチロールの箱はそもそも物品を収納、梱包することを目的としている。箱の形状により、物品を取り出す面を上部もしくは側面に設けることが可能となる。上部より下部が細くなっている箱が主流のようだが、ズンドウもしくは1方の下部がひろがっている形状の箱も組み合わせに入れば、よりベッドとして安定すると考えられる。箱を安定して組み合わせるために、箱の底部に合わせた大きさ、形状の、滑らないシートを敷く。また、上部にも同様にシートを使用する。上部のシートは箱を安定させるだけではなく、敷布団またはマットレスが滑落しないようにするためのものでもある。
さらに、箱を安定させるために、全体の側面を高さ分の布で巻いて、面ファスナーで固定する。これは外観を美しく見せるためのものでもある。箱の安定のためのゴム入りの布を被せても良い。
【考案の詳細な説明】
【技術分野】
【０００１】
本考案は、再生可能な素材である発泡スチロール箱を用いた、搬入及び撤去時に、畳や床、壁を傷つけず、狭い入口からの搬入・搬出可能で、かつ収納力のあるベッドとその設置に必要となるものに関するものである。
【背景技術】
【０００２】
大きなベッドで収納力のあるものは、狭い入口から室内へ持ち込めない事がある。持ち込みが可能な場合でも、壁面や床面の養生が必要となったり、組み立てに時間がかかったりする。また、通常の使用だけでも床に傷が付き、賃貸物件からの引っ越しの際に、畳や床等の補修費を請求されることがある。さらに、通常のベッドは廃棄の際に問題となる事がある。
【先行技術文献】
【特許文献】
【０００３】
【特許文献１】特開2010-172684 特表2009-505758 特開平10-276865 特開2000-037262
【考案の概要】
【考案が解決しようとする課題】
【０００４】
1.搬入・搬出の難しいベッドをセパレート化し、床や畳、壁の養生、組み立て時間など、無駄を省く課題  2.住まいの収納不足を補う課題  3.ベッドが不要となった際のリサイクルをしやすくする課題
【課題を解決するための手段】
【０００５】
本考案は、発泡スチロール箱を並べるという大変簡単な設置方法で、室内へベッドを持ち込むことを可能としている。発泡スチロール箱は床や畳、壁を傷付けることなく設置でき、収納も確保できる。また、リサイクル可能な素材なので上記課題を解決できる手段となっている。
【考案の効果】
【０００６】
部屋の入口が狭かったという理由で、和式の生活をしている人も、ベッドで快適に過ごすことができるようになる。また、収納が増えるので、部屋の中の不要なものをしまっておくことができる。
【図面の簡単な説明】
【０００７】
【図１】今回使用した箱の形状。ビール箱等が丸ごと収納できる大き目の丈夫な箱であるが、底部がやや細くなっていて、上に乗るにはやや不安定な形をしている。
【図２】発泡スチロール箱をそのまま使用するのであれば、すべらないシートの形状が箱のボトムの形にフィットしていれば、安心感がある。
【図３】図の２では箱の形状にあわせた滑らないシートについて考案したが、箱の形状をズンドウなものにすれば安定するので、シートの形状を単純なものにしてもよい。
【図４】さらに安定させるにはボトム部分を広げた形状が良い。見た目もちょっとカワイイ。絵は膨らんでいるように見えるが、ラインは末広がりになっていればよい。
【図５】一方を壁に寄せて配置する場合は壁側と中央がズンドウだと良い。
【図６】通常、発泡スチロール箱は蓋が上に開くので、上部に布団等を置いてしまうと、中の収納物を取り出しにくい。サイドから取り出せるタイプの箱があればぜひ利用したい。
【図７】箱の配置を真上から見た図。外寸長さ（mm）576×外寸幅（mm）460 ×外寸 高さ（mm）480の箱で実際に配置してみると、ちょうどダブルベッドになる。布団よりやや長く、余ったスペースに軽量のラック等を置くなど利用することができる。
【図８】使用感はとても良いが、そのままでは何となく恥ずかしいので、ベッドの周囲を覆いたい。
【図９】ふんわりしたドレープのある布で上方にゴムが入っているものであれば、引出タイプの箱を使用する場合は中のモノの出し入れにも不便ではない。ここで使用するゴムはベッドをより安定させるためにもしっかりした素材のものを選びたい。
【図１０】実際の使用例
【実施例】
【０００８】
図８の写真のように実際に使用することができる。
松原産業F-800-3という製品を購入し、ダブルベッドとした。
【図１】
0003207325.tif 000003
【図２】
0003207325.tif 000004
【図３】
0003207325.tif 000005
【図４】
0003207325.tif 000006
【図５】
0003207325.tif 000007
【図６】
0003207325.tif 000008
【図７】
0003207325.tif 000009
【図８】
0003207325.tif 000010
【図９】
0003207325.tif 000011
【図１０】
0003207325.tif 000012
【手続補正書】
【提出日】平成28年6月29日(2016.6.29)
【手続補正１】
【補正対象書類名】実用新案登録請求の範囲
【補正対象項目名】全文
【補正方法】変更
【補正の内容】
【実用新案登録請求の範囲】
【請求項１】
ベッドを発泡スチロール箱の組み合わせで構成する。
【手続補正書】
【提出日】平成28年9月7日(2016.9.7)
【手続補正１】
【補正対象書類名】実用新案登録請求の範囲
【補正対象項目名】全文
【補正方法】変更
【補正の内容】
【実用新案登録請求の範囲】
【請求項１】
複数の発泡スチロール箱を並べて配置したことを特徴とするベッド。
(57)【要約】      （修正有）【課題】卵がつかみやすく従来の卵置スペースに置けることはもちろんの事冷蔵庫内のどこにでも置くことができ、冷蔵庫内を有効に使うことが出来る卵スタンドを提供する。【解決手段】卵置部分を２段にし、上部面３ヶ所、下部面８ヶ所の丸形カットを持った板２、２ａをＬ字形固定板４、４ａに奥から手前にかけ傾斜させ固定し、奥の固定板４にはのぞき窓６となるカットをし、もう一方の固定板外側には物入れとなるポケット７を設けた。【選択図】図１
0003207327.tif 000002
【実用新案登録請求の範囲】
【請求項１】
上部面３ヶ下部面８ヶの丸形カットを持った板はＬ字形固定板に奥から手前にかけ傾斜させ固定する。奥の固定板にはのぞき窓となるカットをし、もう一方の固定板外側には物入れとなるポケットを設けた卵スタンド。
【考案の詳細な説明】
【技術分野】
【０００１】  本考案は冷蔵庫の上部空間を有効的に使うことを目的とした卵入れに関するものである。
【背景技術】
【０００２】  冷蔵庫内の卵置は広いスペースを設けているが上部の空間が無駄である。
【考案の概要】
【考案が解決しようとする課題】
【０００３】  冷蔵庫内で卵置容器は広いスペースを占めているがその上部の空間がが無駄になっている。従って卵置部分を２段にさせることで前途の欠点を解決しようとするものである。
【課題を解決するための手段】
【０００４】  本考案は上段部と下段部との２段の卵置部を設けることでコンパクトになり又卵置部を奥から手前にかけ傾斜をつけたことにより卵がつかみやすく従来の卵置スペースに置けることはもちろんの事冷蔵庫内のどこにでも置くことができる為問題点を解決している。
【考案の効果】
【０００５】  上述の様に、本考案の卵スタンドを設置することにより冷蔵庫内のスペースを有効に使用することが出来る。
【図面の簡単な説明】
【０００６】
【図１】本考案の卵スタンドの斜面図である。
【考案を実施するための形態】
【０００７】  上段となる板面に３ヶ所、下段となる板面に８ヶ所に丸形状の穴を開け間隔を置いてＬ字形２枚の固定板に奥から手前にかけ傾斜させ固定し、奥の固定板にはのぞき窓となるカットをほどこし、もう一方の固定板外側には小物入れとなるポケットを設け、下部４ヶ所には奥から手前に傾斜をつけた足とポケット下部にも足を付ける。
【実施例】
【０００８】  以下、添付図面に従って一実施例を説明する。１、１ａは卵置部のカット穴  ２、２ａは合成樹脂にて形成された卵置板、３、３ａは卵置板接着部  ４、４ａは卵置板固定板、５、５ａ、５ｂ、５ｃ、５ｄは足部  ６はのぞき窓のカット面  ７は小物収納ポケット  ８は小物収納ポケット底。
【符号の説明】
【０００９】１、１ａ  卵置部のカット穴
２  ２ａ  卵置板
３  ３ａ  卵置板接着部
４  ４ａ  卵置板固定板
５  ５ａ  ５ｂ  ５ｃ  ５ｄ  足部
６  のぞき窓のカット面
７  小物収納ポケット
８  小物収納ポケット底
【図１】
0003207327.tif 000003
【手続補正書】
【提出日】平成28年8月2日(2016.8.2)
【手続補正１】
【補正対象書類名】実用新案登録請求の範囲
【補正対象項目名】全文
【補正方法】変更
【補正の内容】
【実用新案登録請求の範囲】
【請求項１】
上部面３ヶ所、下部面８ヶ所の丸形カットを持った板を備え、当該板をＬ字形固定板に奥から手前にかけ傾斜させ固定し、奥の固定板にはのぞき窓となるカットをし、もう一方の固定板外側には物入れとなるポケットを設けたことを特徴とする卵スタンド。
(57)【要約】      （修正有）【課題】節電効果の持続性や安全性や汎用性にすぐれる絶縁用ビニールテープ製の節電材料を提供する。【解決手段】３２〜３８テラヘルツの共鳴電磁波を、２０℃〜９０℃の温度条件下で２〜１２時間、絶縁用ビニールテープに照射することにより、ビニールテープ１自体を３２〜３８テラヘルツの周波数の共鳴電磁波の転写体とし、電線被覆材５の外側にとりつけるだけで、３２〜３８テラヘルツの共鳴電磁波６を電線４や通過する電流に放射し、電線を流れる電流をノイズの少ない状態に改質し、節電効果を発揮する。【選択図】図２
0003207365.tif 000002
【実用新案登録請求の範囲】
【請求項１】
３２〜３８テラヘルツの共鳴電磁波を、２０℃〜９０℃の温度条件下で２〜１２時間、絶縁用ビニールテープに照射することにより、当該ビニールテープ自体を３２〜３８テラヘルツの周波数の共鳴電磁波の転写体とし、当該周波数の共鳴電磁波を、当該テープを取り付けた電線や被覆材や通過する電流に放射することを特徴とする絶縁ビニールテープ製の節電材料。
【考案の詳細な説明】
【技術分野】
【０００１】  本考案は、３２〜３８テラヘルツの共鳴電磁波を、絶縁用ビニールテープに照射することにより、当該テープを当該共鳴電磁波の発振体とすることを特徴とする節電材料を提供する。
【背景技術】
【０００２】  従来、節電のために、遠赤外線を放射する物質や磁石を、電線被覆や配線器具の外側に取り付けることにより、導電物質の結晶構造を整列化させて電気抵抗を削減し、節電効果を得る方法が提案されている。【０００３】  また、コンデンサーやインバータを利用して節電する方法も提案されている。
【特許文献１】  特開２００６−２０２７７７
【特許文献２】  特開２００６−３１４１９３
【特許文献３】  特開２０１０−１９７０３７
【特許文献４】  特開２０００−５８３３８
【考案の概要】
【考案が解決しようとする課題】
【０００４】  従来の、節電器具は、遠赤外線や磁力を利用して、導電物質の結晶構造を整列化させ電気抵抗を削減することにより、無駄な抵抗損失を減らすことを目的としたものがほとんどで、遠赤外線の周波数や磁力の大きさによっては、十分な効果が得られないという問題があった。
【課題を解決するための手段】
【０００５】  このような課題を解決するために本考案者は、３２〜３８テラヘルツの共鳴電磁波を、２〜１２時間、２０℃〜９０℃の温度条件下で、絶縁用ビニールテープに照射することで、当該ビニールテープ自体が当該共鳴電磁波の転写体となり、当該共鳴電磁波の発射体となることを見出し、本考案をなすに至った。【０００６】  すなわち、本考案では、絶縁用ビニールテープを、３２〜３８テラヘルツの共鳴電磁波の放射体とし、当該ビニールテープを、電線被覆や配線器具の外側に巻き付けるだけで、直接導電部に接触することなく、導電部に当該共鳴電磁波を照射することができる。【０００７】  また、当該ビニールテープから放射される共鳴電磁波の周波数を３２〜３８テラヘルツとすることで、電気抵抗の原因となる電線を流れる電流の細かい電子の振動によるノイズを除去または減少することができる。【０００８】  また、当該節電材料を電気絶縁性のある絶縁用ビニールテープとすることで、短絡の危険性を防止し安全に節電対策ができる。
【考案の効果】
【０００９】  本考案によれば、節電に対する効果が明確で持続性の高い３２〜３８テラヘルツの共鳴電磁波を放射する絶縁用ビニールテープ製の節電材料を、低コストで提供できる。【００１０】  本考案による絶縁用ビニールテープ製の節電材料から放射される３２〜３８テラヘルツの共鳴電磁波は、ゴムやビニール等の電線の絶縁被覆を透過、または転写を繰り返すことで、内部の導電体を流れる電流に照射される。【００１１】  当該共鳴電磁波は、電流に乗っている電子の細かいノイズを除去したり、減少することで、電気抵抗による熱損失を抑制し、節電効果を発揮する。【００１２】  また、絶縁用ビニールテープ製の節電材料とすることで、配電盤内で使用する場合の短絡の危険性を防止することができる。【００１３】  また、当該絶縁用ビニールテープの裏面の糊により、配電盤内等の狭い場所での取り付け工事が容易になる。
【考案を実施するための形態】
【００１４】  以下、本考案の実施形態について図面を参照しながら詳細に説明する。
図１は、本考案の節電材料の正面図を示す。
図２は、本考案の節電材料が電線に共鳴電磁波を放射する概念の縦断面を示す。
【００１５】  本考案の節電材料１は、図１に示すように絶縁用ビニールテープを、３２〜３８テラヘルツの共鳴電磁波放射シート２の上に置き、２〜１２時間、２０〜９０℃の温度条件下で共鳴電磁波３を照射することにより、当該絶縁用ビニールテープ自体を３２〜３８テラヘルツの共鳴電磁波６の転写放射体としたものである。
【００１６】  図２に示すように、節電材料１を、電線４の絶縁被覆５に巻き付けると、当該節電テープ１から放射される３２〜３８テラヘルツの共鳴電磁波６で、電線４を流れる電流に乗った電子の細かいノイズが除去または減少される。
【００１７】  電流に乗った電子の細かいノイズは電線４の電気抵抗を大きくし、熱損失を増やすので、当該ノイズを除去または減少させることにより、通電による熱損失を抑制することが出来、節電効果が得られる。
【００１８】  また、当該節電材料１を、絶縁用ビニールテープとすることで、絶縁効果が得られ、配電盤内で使用する場合の短絡の危険性を防止することができる。
【００１９】  また、当該節電材料１を、絶縁用ビニールテープとすることで、当該テープの裏面の糊により、配電盤内等の狭い場所での取り付け工事が容易になる。
【実施例】
【００２０】  新潟県の大型公共施設で電気使用の安定する０時から７時の間の電気使用量を、本考案の節電材料を電気機器用電線の一部に巻きつけて、節電材料取り付け前後で比較したところ、節電材料の取り付けにより、約２０％の節電効果が確認された。
【産業上の利用可能な分野】
【００２１】  本考案は、住宅や事務所や店舗や工場といった電力使用者ばかりでなく、送電線に応用することで送電損失を抑えることができ、電力産業全体で節電に役立てることができる。
【図面の簡単な説明】
【００２２】
【図１】は、本考案の節電材料の正面図を示す。
【図２】は、本考案の節電材料の作用の概念の縦断面図を示す。
【符号の説明】
【００２３】  １  節電材料（絶縁用ビニールテープ）
２．共鳴電磁波放射シート
３  共鳴電磁波
４．電線
５．絶縁被覆
６．共鳴電磁波
【図１】
0003207365.tif 000003
【図２】
0003207365.tif 000004
(57)【要約】      （修正有）【課題】着色することによりオリジナルカラーのクッションができ、部屋のインテリアのアクセントとして、心安らぐ空間を演出できる塗り絵布地を提供する。【解決手段】白色または、淡色に加工された布地に、黒又黒系の色の直線、曲線で動物・植物・建築物・乗り物全般・装飾品、風景画等の絵が描かれた塗り絵布地であって、絵に市販の布ペンで着色することができることを特徴とする。【選択図】図１
0003207341.tif 000002
【実用新案登録請求の範囲】
【請求項１】
布地に黒又黒色の色の直線、曲線で動物・植物・建築物・乗り物全般、装飾品、風景画等の絵が描かれた塗り絵クッションであって前記絵に市販の布ペンで着色することができることを特徴とする塗り絵クッション。
【請求項２】
上記記載した黒又黒色の直線、曲線で動物・植物・建築物・乗り物全般、装飾品、風景画等の絵が描かれた布地でクッション以外に、抱き枕・キルティンングしてソフアーカバー・ベッドカバー・又  エプロン・カーテン・洋服等にも加工して楽しむ事ができます。
【考案の詳細な説明】
【技術分野】布地に黒又黒系の色の直線、曲線で動物・植物・建築物・乗り物全般・装飾品、風景画等の絵が描かれた塗り絵クッションであって、前記絵に市販の布ペンで着色することができることを特徴とするクッション。
【背景技術】従来のクッションは、決まったデザインが印刷された布地をクッションに加工された物である。
【考案の概要】
【考案が解決しようとする課題】一般に販売されているクッションはデザインが決まっているため、部屋のインテリア及び本人の嗜好に合う物を探すのに大変な労力がいります。お絵かきクッションは、この問題を解決するものである。
【課題を解決するための手段】布地に黒又は、黒色系の色の直線、曲線で動物・植物・建築物・乗り物全般・装飾品、風景画等の絵が描かれた塗り絵クッションのため、前記絵に市販の布ペンで着色することができることを特徴とするクッションです。手軽にできるので、自分の好みのものをいろいろな所で探す労力を軽減でき、室内を自由に演出できます。
【考案の効果】上記のように自身が色を塗り体感する事によって、自分の部屋のイメージを自由に表現することができる為、表現力や色彩感覚の向上が見込めます。
【考案を実施するための形態】
布地に黒又黒色系の色の直線、曲線で動物・植物・建築物・乗り物全般・装飾品、風景画等の絵が描かれた塗り絵クッションのため、前記絵に市販の布ペンで着色することができることを特徴とする。
【図面の簡単な説明】
【図１】本考案の塗り絵クッション
【図２】本考案の塗り絵クッションに布ペンで着色したクッション
【図３】本考案の塗り絵クッションのいろんな大きさ、形です。
【図１】
0003207341.tif 000003
【図２】
0003207341.tif 000004
【図３】
0003207341.tif 000005
【手続補正書】
【提出日】平成28年8月10日(2016.8.10)
【手続補正１】
【補正対象書類名】実用新案登録請求の範囲
【補正対象項目名】全文
【補正方法】変更
【補正の内容】
【実用新案登録請求の範囲】
【請求項１】
白色または、淡色に加工された布地に、黒色または濃淡色で直線、曲線で動物・植物・建築物・乗り物全般、装飾品、風景画、模様等の絵が描かれた布地であって、前記絵に市販の布ペンで着色することができることを特徴とする塗り絵布地。
【請求項２】
白色または、淡色に加工された布地に、黒色または濃淡色で直線、曲線で動物・植物・建築物・乗り物全般、装飾品、風景画、模様等の絵が描かれた布地であって、前記絵に市販の布ペンで着色することができることを特徴とする塗り絵布地を用いた布製品。
(57)【要約】      （修正有）【課題】シャワーのお湯を一時的に任意の部位に滞留させることができるベルトを提供する。【解決手段】ベルト１は、ベルト上部に樋２の形状を設けることにより、シャワー時に任意の部分に温熱効果を上昇させる機能を持つ。【選択図】図１
0003207342.tif 000002
【実用新案登録請求の範囲】
【請求項１】
シャワー時に任意の部分に温熱効果を上昇させる機能を持つベルト。
【考案の詳細な説明】
【考案の属する技術】
【０００１】本考案はシャワー時にベルト状に器具を装着し、部分的にお湯を滞留させ装着部に温熱効果をもたらすための機能を持たせたものである。
【背景技術】
【０００２】シャワーは洗い流すだけの機能であり、体を温める効果は期待できない。
【考案が解決しようとする課題】
【０００３】シャワーは単に体を洗い流すだけの機能であり、体を温める効果は乏しいため、シャワー時に部分的に湯船に浸かったような温熱効果を持たせることが課題である。
【課題を解決するための手段】
【０００４】この問題を解決するために、シャワーのお湯を一時的に滞留させる構造のベルト、または帯状の器具を体に装着しておく。
【考案の効果】
【０００５】シャワーのお湯を部分的に滞留させることで、滞留部分に温熱効果をもたらせ筋肉などの痛みやこりなどを和らげる効果が期待できる。
【考案を実施するための最良の形態】
【０００６】体に簡単に装着できるようにベルト、または帯状のものにお湯を一時的に滞留させる樋の構造をもたせる。
【実施例】
【０００７】図１はベルト上部に設けた樋の形状を示した。図２は人体に本考案を装着した実施例である。
【産業上の利用可能性】
【０００８】本考案はシャワー時に本考案を装着した部分の温熱効果がもたせられ、筋肉のこりや痛みを和らげる効果が期待でき、軽作業やスポーツ後などにも気軽に利用できる。
【図面の簡単な説明】
【０００９】
【図１】断面図
【図２】体に装着した正面図
【符号の説明】
【００１０】１、ベルト
２、樋
【図１】
0003207342.tif 000003
【図２】
0003207342.tif 000004
【手続補正書】
【提出日】平成28年8月19日(2016.8.19)
【手続補正１】
【補正対象書類名】実用新案登録請求の範囲
【補正対象項目名】全文
【補正方法】変更
【補正の内容】
【実用新案登録請求の範囲】
【請求項１】
ベルト上部に樋の形状を設けることにより、シャワー時に任意の部分に温熱効果を上昇させる機能を持つベルト。
(57)【要約】      （修正有）【課題】フィルムシートを用いて容易に組み立てられ、かつ十分な強度を持つ建築物型組立貯金箱を提供する。【解決手段】薄地のフィルムシートをトムソン型を使用して打ち抜き加工し、対になる差し込みと切り込みを有する複数の部品を作製し、接着道具なしで建築物型の貯金箱に組み立てられる。【選択図】図３
0003207016.tif 000002
【実用新案登録請求の範囲】
【請求項１】
薄地のフィルムシート材料に対しトムソン型を使用して打ち抜いた複数の部品を組み合わせることで、糊やテープ等の接着道具を用いる事無く簡単に模型の城や寺社仏閣を作製できる事を特徴とする建築物型組立貯金箱。
【請求項２】
組み立てた後は屋根部分にトムソン型を使用して施したスリットから硬貨を投入し、貯金箱として使用できることを特徴とする建築物型組立貯金箱。
【請求項３】
前記の材料に対する印刷は、オフセット印刷を用いて絵や文字、写真などを印刷した請求項１に記載の建築物型組立貯金箱。
【考案の詳細な説明】
【技術分野】
【０００１】  本考案は主として、フイルムシート材料に対して多目的に使用できる利便性の高いノベルティー商品に関するものである。
【背景技術】
【０００２】  従来の紙で作製していた建築物型組立貯金箱は、組み立てるときに固定用の糊やテープ、シートからパーツを分離する為のはさみやカッター等の道具が必要だった。また、紙製の建築物型組立貯金箱は水等の液体でぬれた場合にその品質が大きく劣化し、収納した硬貨が貯金箱の外へ溢れることがあった。
【考案が解決しようとする課題】
【０００３】  ノベルティとして本物品を手にした場合に、その場で組み立てて使用する事ができ、かつ相当量の硬貨を投入することを想定し、固定に用いる部分の構造を組みやすく、外れにくいものとした。また、耐水性の高いフィルムシートを使用する事で、水に強い商品を作製する事ができる。
【０００４】  少なからずプラスチック製品は廃棄処理の段階で環境に負荷をかけてしまうという課題を持っているが、本考案である留め具付きうちわの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  トムソンで打ち抜いた各部分の接合部分の構造を組み立てやすく、かつ外れにくくするために、フック部に切り込みを入れ、かつフィルムシートの柔軟な収縮性を利用し、接合部を噛み合わせる事で貯金箱として使用した場合の硬貨の重量にも耐える強固な構造を作り出す事ができる。
【考案実施の形態】
【０００６】  図１は本考案の建築物型組立貯金箱（１）の視図である。図１で建築物型組立貯金箱にはコイン投入口（Ｓ）フック構造を持った差し込み（Ｔ１）（Ｔ２）（Ｔ３）（Ｔ４）（Ｔ５）これと対になる切り込み（Ｓ１）（Ｓ２）（Ｓ３）（Ｓ４）（Ｓ５）を備えた箱部分（Ｍ）が大部分をトムソンで打ち抜かれ部分的にシートに固定された状態で備わっている。
【０００７】  図２は本考案の建築物型組立貯金箱（１）に備わる箱部分（Ｍ）の斜図である。トムソン型で折り筋加工、打ち抜き加工された箱部分（Ｍ）を組み立て、箱部分（Ｍ）の端部に対になる様に設けられた複数の差し込みＴ１）（Ｔ２）（Ｔ３）（Ｔ４）（Ｔ５）と切り込み（Ｓ１）（Ｓ２）（Ｓ３）（Ｓ４）（Ｓ５）を組み合わせる事で、糊やテープ等の接着道具がなくても強度を保つ事ができる。
【０００８】  図３は本考案の建築物型組立貯金箱（１）に組み立てた完成図（Ｃ）の斜図である。この時、完成した建築物型組立貯金箱（１）の屋根部（Ｒ）には硬貨を投入するためのスリット（Ｓ）が施されており、ここから硬貨を投入することで貯金箱として使用することが出来る。
【図面の簡単な説明】
【０００９】
【図１】本考案の建築物型組立貯金箱の視図
【図２】図１の建築物型組立貯金箱の胴体部の斜図
【図３】図１の建築物型組立貯金箱の完成図の斜図
【符号の説明】
【００１０】１    建築物型組立貯金箱
Ｃ    建築物型組立貯金箱完成図
Ｍ    胴体
Ｔ１  差し込み１
Ｔ２  差し込み２
Ｔ３  差し込み３
Ｔ４  差し込み４
Ｔ５  差し込み５
Ｓ    硬貨投入スリット
Ｓ１  スリット１
Ｓ２  スリット２
Ｓ３  スリット３
Ｓ４  スリット４
Ｓ５  スリット５
【図１】
0003207016.tif 000003
【図２】
0003207016.tif 000004
【図３】
0003207016.tif 000005
【手続補正書】
【提出日】平成28年7月29日(2016.7.29)
【手続補正１】
【補正対象書類名】実用新案登録請求の範囲
【補正対象項目名】全文
【補正方法】変更
【補正の内容】
【実用新案登録請求の範囲】
【請求項１】
薄地のフィルムシート材料に対しトムソン型を使用して打ち抜いた複数の部品を、前記部品が有するフック構造を持った差し込みと、前記部品が有する前記差し込みと対になる切込みとを組み合わせる事で作製された建築物型組立貯金箱。
【請求項２】
組み立てた後は屋根部分にトムソン型を使用して施したスリットから硬貨を投入し、貯金箱として使用できることを特徴とする請求項１に記載の建築物型組立貯金箱。
【請求項３】
前記の材料に対する印刷は、オフセット印刷を用いて絵や文字、写真を印刷した請求項１に記載の建築物型組立貯金箱。